(57)【要約】      （修正有）【課題】下痢・軟便のように水分の多い便であっても、検査に必要・十分な量の便を採取することができ、簡単な構成で製作が比較的容易である採便用器具を提供する。【解決手段】採便用器具は、一端側が開口した有底の直管状をなす容器１０と、筒状に形成され容器の一端開口部に着脱自在に冠着されて容器を密閉する蓋部１４、および、蓋部１４の天面中心部から下向きに延設された棒状部１６からなる採便棒１２とから構成され、棒状部１６の先端部に便を保持する凹陥部４０を形設し、棒状部１６の先端付近の周側面に凹陥部４０の内奥部に連通する空気逃し細孔４２を形設して構成された便採取部３６を設けた。【選択図】図１
0003231815.tif 000002
【実用新案登録請求の範囲】
【請求項１】
一端側が開口した有底の直管状をなし採取した便を収容する容器と、
筒状に形成され前記容器の一端開口部に着脱自在に冠着されて容器を密閉する蓋部を有し、この蓋部の天面中心部からその軸心線上を下向きに延設された棒状部の先端に便採取部が形設された採便棒と、
からなる採便用器具において、
前記棒状部の先端面に、便を保持する凹陥部を形設するとともに、前記棒状部の先端付近の周側面に、前記凹陥部の内奥部に連通する空気逃し細孔を形設して、前記便採取部を構成したことを特徴とする採便用器具。
【請求項２】
前記採便棒の棒状部の下半部が細径に形成された請求項１に記載の採便用器具。
【請求項３】
前記容器の上端開口面がテーパー状に形成された請求項１または請求項２に記載の採便用器具。
【請求項４】
前記容器の内周側面に、軸線方向に延びる複数本の線条突起が周方向に等配して形設された請求項１ないし請求項３のいずれかに記載の採便用器具。
【考案の詳細な説明】
【技術分野】
【０００１】
この考案は、細菌やウィルスによる感染症の有無を検査する場合などに便を採取し保管するために使用される採便用器具、特に、下痢・軟便のように水分の多い便を採取するのに適する採便棒を備えた採便用器具に関する。
【背景技術】
【０００２】
人の便中に存在する細菌類を検査する場合には、検体としての便を採取する採便棒と、採便棒で採取した便を収容する密閉可能な容器とを組み合わせた採便用器具が用いられる。このような採便用器具としては、従来から数多くの器具が提案され使用されている。例えば、上端が開口し下端に底部が形成されて閉じた円筒状の容器中に塗沫棒（採便棒）が挿入された器具であって、容器の上端開口部に嵌合して容器を密閉する筒状の蓋部、および、先端に塗沫部が形成された塗沫棒を有し、蓋部の内面と塗沫棒の基端部とを、膜を介して結合することにより蓋部と塗沫部とを一体化した構成の採便用器具が提案されている（例えば、特許文献１参照。）。また、一端が閉塞され他端が開口し培地を収容し得る円筒形状の容器と、容器の開口端を密閉するべく着脱可能に装着されるキャップと、キャップに一体的に固定された棒体の先端に一体形成された採便体とを有して構成され、容器の開口端を側面視で斜めに切除して開口面積を増大させることにより、検体を付着させた採便体を容器に収容する作業を円滑に行うことができるようにし、また、採便体の表面に、棒体の軸方向に対して傾斜した凹溝を複数条スパイラル状に形成するとともに、採便体の表面を、微細凹凸を有する梨地状に形成することにより、水分の多い軟便から水分の少ない硬便まで幅広い状態の便を効率的に採便体で採取・保持することができるようにした採便用器具が提案されている（例えば、特許文献２参照。）。
【先行技術文献】
【特許文献】
【０００３】
【特許文献１】特許第４１７３０４０号公報（第４頁、図１）
【特許文献２】特開２００９−２７６３１１号公報（第３−５頁、図１）
【考案の概要】
【考案が解決しようとする課題】
【０００４】
細菌検査における検体としての便を採取し保管するために従来から様々な構成の採便用器具が用いられているが、それらの多くの器具は、通常の硬さの便を採取することを想定したものである。このため、下痢便や軟便のように水分の多い便を採取する場合においては、採便棒の先端部を便中に差し入れ便中から引き抜いても、採便棒の先端部に付着した便が流れ落ちてしまい、検査に必要・十分な量の便を採便棒先端部に保持することができない、といった問題点がある。特許文献２に開示された採便用器具は、水分の多い軟便から水分の少ない硬便まで幅広い状態の便を効率的に採便体で採取・保持することができるようにしたものであるが、下痢便のように極めて水分の多い状態の便になると、やはり採便体の凹溝内や表面に十分な量の便を付着させ保持することが難しい、といった問題点がある。
【０００５】
この考案は、以上のような事情に鑑みてなされたものであり、下痢・軟便のように水分の多い便であっても、検査に必要・十分な量の便を採取することができ、簡単な構成で、従って製作が比較的容易である採便用器具を提供することを目的とする。
【課題を解決するための手段】
【０００６】
この考案では、上記目的を達成するために、採便棒先端の便採取部の構造について検討し工夫した。すなわち、請求項１に係る考案は、一端側が開口した有底の直管状をなし採取した便を収容する容器と、筒状に形成され前記容器の一端開口部に着脱自在に冠着されて容器を密閉する蓋部を有し、この蓋部の天面中心部からその軸心線上を下向きに延設された棒状部の先端に便採取部が形設された採便棒と、からなる採便用器具において、前記棒状部の先端面に、便を保持する凹陥部を形設するとともに、前記棒状部の先端付近の周側面に、前記凹陥部の内奥部に連通する空気逃し細孔を形設して、前記便採取部を構成したことを特徴とする。
【０００７】
請求項２に係る考案は、請求項１に記載の採便用器具において、棒状部の下半部を細径に形成したことを特徴とする。
【０００８】
請求項３に係る考案は、請求項１または請求項２に記載の採便用器具において、容器の上端開口面をテーパー状に形成したことを特徴とする。
【０００９】
請求項４に係る考案は、請求項１ないし請求項３のいずれかに記載の採便用器具において、容器の内周側面に、軸線方向に延びる複数本の線条突起を周方向に等配して形設したことを特徴とする。
【考案の効果】
【００１０】
請求項１に係る考案の採便用器具においては、検体としての便を採取するために、採便棒の棒状部先端を真っ直ぐ便中に差し入れると、便は棒状部先端の凹陥部に流入しようとする。このとき、凹陥部の内方空間が閉塞されて凹陥部内に空気が閉じ込められた状態になると、その空気圧によって凹陥部への便の流入が妨げられることになるが、凹陥部内の空気は、便の流入に伴って内奥部から空気逃し細孔を通って押し出されるので、便は凹陥部内に支障なく流入して充填される。その後、採便棒を引き上げ便採取部を便中から引き抜くと、便は凹陥部内に保持され、採便操作が終了する。この場合において、採便棒自体が小径であり、従ってその棒状部先端面に形設された凹陥部の断面積も微小である。このため、固形分が少なく水分の多い下痢・軟便であっても、表面張力により、凹陥部内から流出することなく凹陥部内に保持される。
したがって、この考案に係る採便用器具を用いると、下痢・軟便のように水分の多い便であっても、検査に必要・十分な量の便を採取することができる。そして、この採便用器具は、簡単な構成であり、従って製作が比較的容易である。
【００１１】
請求項２に係る考案の採便用器具では、検体としての便を採取した後、検査機関において培養検査や塗抹検査を行う場合において、採便棒の蓋部を指先で摘んで棒状部先端の便採取部に付着した検体を培地に塗布したりスライドグラス面に擦り付けたりする際に、また、それらの操作が自動化されて装置により行われる際に、採便棒の棒状部の、細径に形成された下半部が適度に撓むので、検体の塗布・擦り付け操作を確実に行うことができる。
【００１２】
請求項３に係る考案の採便用器具では、容器の上端開口面がテーパー状に形成されていることにより、容器の開口部の面積が大きくなるので、便の採取後に便採取部に便が付着した採便棒の棒状部を容器内に差し入れる操作を円滑に行うことができ、また、その操作の際に容器の開口縁部に便が付着する、といった心配が少なくなり、容器への採便棒の収納を衛生的に行うことができる。
【００１３】
請求項４に係る考案の採便用器具では、容器の内周側面に複数本の線条突起が等配して形設されているので、便の採取後に採便棒の棒状部を容器内に差し入れる際に、棒状部の周面が線条突起に接触しながら複数本の線条突起に案内されて棒状部が容器内に収納される。したがって、便が付着した便採取部が容器の内周壁面に接触して内周壁面に便が付着する、といったことが防止される。また、検査機関において自動細菌検査装置により培養検査や塗抹検査が行われる際に、容器から採便棒が抜き出され、検体の塗布・擦り付けが行われた後、容器内へ採便棒が戻される際に、棒状部の周面が線条突起に接触しながら棒状部が複数本の線条突起に案内されて容器軸心位置に移動するので、容器と採便棒との互いの軸心位置がずれて容器の上縁部分と採便棒の蓋部下縁部分とが突き当たってそれらの部分が変形する、といったことが起こらず、採便棒の蓋部が容器の一端側開口部に確実に嵌合して容器が密閉される。
【図面の簡単な説明】
【００１４】
【図１】この考案の実施形態の１例を示し、採便用器具の全体構成を示す外観正面図である。
【図２】図１に示した採便用器具において、採便棒を容器内に収納した状態を示す外観正面図である。
【図３】図１に示した採便用器具の構成要素の１つである容器の外観正面図である。
【図４】図３に示した容器を上方から見た状態を示す拡大図である。
【図５】図３に示した容器の外観側面図である。
【図６】図５のＶＩ−ＶＩ矢視断面図である。
【図７】図１に示した採便用器具の構成要素の１つである採便棒の外観正面図である。
【図８】図７のＶIII−ＶIII矢視断面図である。
【図９】図７に示した採便棒を下方から見た状態を示す拡大図である。
【考案を実施するための形態】
【００１５】
以下、この考案の最良の実施形態について図面を参照しながら説明する。
図１に示すように、この考案に係る採便用器具は、一端（上端）側が開口した有底の直管状をなす容器１０と、蓋部１４および棒状部１６が一体成形された採便棒１２とから構成されている。採便棒１２の棒状部１６は、蓋部１４の天面中心部からその軸心線上を下向きに延設されている。図２に示すように、採便棒１２は、その蓋部１４が容器１０の一端開口部に冠着されるとともに、棒状部１６が容器１０内に装入されて収納可能になっている。そして、容器１０の一端開口部に採便棒１２の蓋部１４が着脱自在に冠着されることにより、容器１０が密閉される構造となっている。容器１０および採便棒１２は、それぞれプラスチック材料により形成される。なお、容器１０内に保存液や懸濁用液体が入れられることもある。
【００１６】
図３、図５および図６に示すように、容器１０は、一体成形された蓋装着部１８と収納本体部２０とから構成されている。容器１０の上端開口面はテーパー状に形成されており、これにより、容器１０の一端開口部２２が楕円形状をなしその開口面積が大きくなっている。蓋装着部１８の外周面には、一端開口部２２の近傍に、採便棒１２の蓋部１４内周面に摺接する環状突起２４が形設され、その下方に、一対の係合凸部２６が形設されている。収納本体部２０の外周面には、その上部に把持部２８が形設されており、この把持部２８を片方の手の親指と人差し指で把持して容器１０に対する採便棒１２の抜き差し操作が行われる。また、収納本体部２０の内周面には、図４および図６に示すように、軸線方向に延びる複数本、図示例では３本の線条突起３０が円周方向に等配して形設されている。容器１０の各部の寸法の１例を示すと、全長が７０ｍｍ（蓋装着部１８の長さ：１５ｍｍ、収納本体部２０の長さ：５５ｍｍ）であり、一端開口部２２における外径：７．５ｍｍ〜８ｍｍ、内径：６ｍｍ〜６．５ｍｍであり、底部における外径：９ｍｍ、内径：５．５ｍｍである。
【００１７】
図７および図８に示すように、採便棒１２の蓋部１４は、上３分の１ほどが肉厚に形成され下３分の２ほどが薄肉に形成された円筒形状を有している。また、棒状部１６は、上半部が大径に形成され下半部が細径に形成されており、棒状部１６の大径上半部が円筒状に形成されている。そして、蓋部１４は、その肉厚部分と薄肉部分との連接個所で棒状部１６の大径上半部の円筒壁部上端と連接している。また、蓋部１４の薄肉部分の内周面と棒状部１６の大径上半部の外周面との間には、容器１０の蓋装着部１８の円筒壁部が嵌入する環状空隙３２が形成されている。蓋部１４内周面の下端付近には、容器１０の係合凸部２６と係合する環状の係合凹部３４が形設されている。また、棒状部１６の細径下半部の下端部分は、膨らんだ形状に形成されており、その部分が便採取部３６となる。図８および図９に示すように、便採取部３６は、棒状部１６の円周面に３本の環状小突起３８を形設し、棒状部１６の先端面に矩形状の凹陥部４０を形設するとともに、棒状部１６の先端付近の円周面に、凹陥部４０の内奥部に連通する空気逃し細孔４２を形設して構成されている。
【００１８】
採便棒１２の各部の寸法の１例を示すと、全長が７０ｍｍ（蓋部１４の長さ：２５ｍｍ、棒状部１６の、蓋部１４下端からの長さ：４５ｍｍ）であり、蓋部１４の環状空隙３２の奥行長さ：１６ｍｍ、棒状部１６の全長：６３ｍｍ（大径上半部の長さ２８．５ｍｍ：細径下半部の長さ：３４．５ｍｍ）、便採取部３６の長さ：９ｍｍである。また、蓋部１４の直径：１０ｍｍ、棒状部１６の大径上半部の直径：５ｍｍ、棒状部１６の細径下半部の直径：３ｍｍ、便採取部３６の直径：４．５ｍｍであり、凹陥部４０の開口面の大きさ：２．５ｍｍ×２．５ｍｍ、凹陥部４０の深さ：３ｍｍ、空気逃し細孔４２の大きさ：１ｍｍ×１ｍｍである。
【００１９】
上記したように構成された採便用器具を用いて検体としての便を採取する際には、採便棒１２の蓋部１４を一方の手指で把持し、もう一方の手指で容器１０の把持部２８を把持して、容器１０内から採便棒１２を抜き出し、採便棒１２の棒状部１６先端を真っ直ぐ便中に差し入れる。そうすると、便は棒状部１６先端の凹陥部４０に流入しようとするが、このとき、凹陥部４０の開口面が便によって塞がれ凹陥部４０内に空気が閉じ込められた状態になると、その内部圧によって凹陥部４０への便の流入が妨げられることになる。しかしながら、この器具では、凹陥部４０内の空気が便の流入に伴って内奥部から空気逃し細孔４２を通って押し出されることになるので、便は凹陥部４０内に支障なく流入して充填される。その後、採便棒１２を引き上げ便採取部３６を便中から引き抜くと、便は凹陥部４０内に保持され、採便操作が終了する。ここで、検体として採取しようとする便が水分の多い下痢・軟便である場合に、凹陥部４０内に便を保持することができるかどうかが問題となる。この採便用器具では、採便棒１２自体が小径であり、上記した寸法例で言えば便採取部３６の直径が４．５ｍｍ程度であり、凹陥部４０の横断面も２．５ｍｍ×２．５ｍｍの大きさであるから、下痢・軟便であっても、表面張力により、凹陥部４０内から流出することなく凹陥部４０内に保持される。したがって、この採便用器具を用いると、下痢・軟便のように水分の多い便であっても、検査に必要・十分な量の便を採取することができる。
【００２０】
便採取部３６に便を保持した採便棒１２は、図２に示したように棒状部１６が容器１０内へ装入される。この際、容器１０の上端開口面がテーパー状に形成され、容器１０の一端開口部２２の開口面積が大きくなっているので、便採取部３６に便が付着した棒状部１６を容器１０内に差し入れる操作を円滑に行うことができ、容器１０の開口縁部に便が付着することなく、容器１０への採便棒１２の収納を衛生的に行うことができる。また、採便棒１２の棒状部１６を容器１０内に差し入れる際に、便採取部３８の周面が容器１０内周面の線条突起３０に案内されて棒状部１６が容器１０内に収納されるので、便採取部３８が容器１０の内周壁面に接触して内周壁面に便が付着する、といったことが防止される。そして、採便棒１２の蓋部１４の係合凹部３４が容器１０の蓋装着部１８の係合凸部２６に係合した状態となるまで蓋部１４を蓋装着部１８に嵌着させると、検体としての便を収容した容器１０が密閉される。
【００２１】
便を収容した容器１０は検査機関へ輸送され、検査機関において培養検査や塗抹検査に供される。この場合において、採便棒１２の蓋部１４を指先で摘んで棒状部１６先端の便採取部３６に付着した検体を培地に塗布したりスライドグラス面に擦り付けたりする際に、また、それらの操作が自動化されて装置により行われる際に、採便棒１２の棒状部１６が細径に形成されていて適度に撓むので、検体の塗布・擦り付け操作が確実に行われる。また、自動細菌検査装置により細菌検査が行われる場合においては、容器１０から採便棒１２が抜き出され、検体の塗布・擦り付けが行われた後、容器１０内へ採便棒１２が戻される際に、棒状部１６の周面が収納本体部２０内周面の線条突起３０に接触しながら棒状部１６が３本の線条突起３０に案内されて収納本体部２０の軸心位置に移動するので、容器１０と採便棒１２との互いの軸心位置がずれて容器１０の蓋装着部１８上縁部分と採便棒１２の蓋部１４下縁部分とが突き当たってそれらの部分が変形する、といった心配が無く、蓋部１４が蓋装着部１８に確実に嵌合して容器１０が密閉される。
【産業上の利用可能性】
【００２２】
この考案は、細菌やウィルスによる感染症の有無を検査するための臨床検査用器材を製造する産業分野において利用される。
【符号の説明】
【００２３】
１０  容器
１２  採便棒
１４  採便棒の蓋部
１６  採便棒の棒状部
１８  容器の蓋装着部
２０  容器の収納本体部
２２  容器の一端開口部
２４  環状突起
２６  係合凸部
２８  把持部
３０  線条突起
３２  環状空隙
３４  環状の係合凹部
３６  便採取部
３８  環状小突起
４０  凹陥部
４２  空気逃し細孔
【図１】
0003231815.tif 000003
【図２】
0003231815.tif 000004
【図３】
0003231815.tif 000005
【図４】
0003231815.tif 000006
【図５】
0003231815.tif 000007
【図６】
0003231815.tif 000008
【図７】
0003231815.tif 000009
【図８】
0003231815.tif 000010
【図９】
0003231815.tif 000011